(57)【要約】【課題】印刷の効率の低下を抑制しつつ、効率よくブランケット胴の汚れを低減することができる印刷機等を提供する。【解決手段】搬送されるウェブに転接するブランケット胴と、ブランケット胴に転接し、刷版が装着された版胴と、ウェブを搬送する搬送装置と、ブランケット胴がウェブをニップしている状態と、ウェブをニップせずに接している状態とを切り換える切り換え装置と、搬送装置及び切り換え装置を制御する制御装置と、を備え、制御装置は、ウェブの製品とならない部分がブランケット胴を通過するときに、切り換え装置でウェブをニップせずに接している状態とし、かつ、ブランケット胴の表面の速度と、ウェブの速度を異なる速度とするパイリング除去処理を実行させる。【選択図】図５
2018062098.tif 000002
【特許請求の範囲】
【請求項１】
搬送されるウェブに転接するブランケット胴と、
前記ブランケット胴に転接し、刷版が装着された版胴と、
前記ウェブを搬送する搬送装置と、
前記ブランケット胴が前記ウェブをニップしている状態と、前記ウェブをニップせずに接している状態とを切り換える切り換え装置と、
前記搬送装置及び前記切り換え装置を制御する制御装置と、を備え、
前記制御装置は、前記ウェブの製品とならない部分が前記ブランケット胴を通過するときに、前記切り換え装置でウェブをニップせずに接している状態とし、かつ、前記ブランケット胴の表面の速度と、前記ウェブの速度を異なる速度とするパイリング除去処理を実行させることを特徴とする印刷機。
【請求項２】
前記搬送装置は、前記ウェブの張力を調整する調整装置を有することを特徴とする請求項１に記載の印刷機。
【請求項３】
前記ウェブの製品とならない部分は、２枚の前記ウェブが積層された紙継ぎ部分を含むことを特徴とする請求項１または請求項２に記載の印刷機。
【請求項４】
前記ブランケット胴に洗浄液を供給する洗浄液供給装置をさらに有し、
前記制御装置は、パイリング除去処理の実行時に、前記洗浄液を供給することを特徴とする請求項１から請求項３のいずれか一項に記載の印刷機。
【請求項５】
前記ウェブの幅方向において、前記ブランケット胴に対する前記ウェブの位置を相対的に変化させる幅方向位置調整装置を有し、
前記制御装置は、前記パイリング除去処理を実行する場合、前記ブランケット胴に対する前記ウェブの位置を変化させることを特徴とする請求項１から請求項４のいずれか一項に記載の印刷機。
【請求項６】
前記ブランケット胴を洗浄するブランケット胴洗浄装置をさらに有し、
前記制御装置は、パイリング除去処理の実行中に、前記ブランケット胴洗浄装置で洗浄処理を実行することを特徴とする請求項１から請求項５のいずれか一項に記載の印刷機。
【請求項７】
前記ブランケット胴を洗浄するブランケット胴洗浄装置をさらに有し、
前記制御装置は、パイリング除去処理の実行中に、前記ブランケット胴洗浄装置で洗浄処理を実行しないことを特徴とする請求項１から請求項５のいずれか一項に記載の印刷機。
【請求項８】
前記制御装置は、前記ウェブの製品とならない部分が前記ブランケット胴を通過するときに、前記ブランケット胴の表面の速度を変化させて、前記ブランケット胴の表面の速度を前記ウェブの速度よりも低速とすることを特徴とする請求項１から請求項７のいずれか一項に記載の印刷機。
【請求項９】
前記制御装置は、パイリング除去処理前の前記ウェブに対する前記ブランケット胴の位相と、パイリング除去処理後の前記ウェブに対する前記ブランケット胴の位相を、同じ位相とすることを特徴とする請求項１から請求項８のいずれか一項に記載の印刷機。
【請求項１０】
搬送されるウェブに転接するブランケット胴と、前記ブランケット胴に転接し、刷版が装着された版胴と、前記ウェブを搬送する搬送装置と、前記ブランケット胴が前記ウェブをニップしている状態と、前記ウェブをニップせずに接している状態とを切り換える切り換え装置とを備える印刷機のパイリング除去方法であって、
前記ウェブの製品とならない部分が前記ブランケット胴を通過するときに、前記切り換え装置でウェブをニップせずに接している状態とし、かつ、前記ブランケット胴の表面の速度と、前記ウェブの速度を異なる速度とすることを特徴とするパイリング除去方法。
【発明の詳細な説明】
【技術分野】
【０００１】
本発明は、刷版を用いて印刷を行うオフセット輪転印刷機等の印刷機及びパイリング除去方法に関するものである。
【背景技術】
【０００２】
新聞用のオフセット輪転印刷機は、給紙装置と印刷装置とウェブパス装置と折機とから構成されている。印刷装置は、複数の印刷ユニットを有し、各印刷ユニットは、対応するウェブに対して印刷を行う。印刷ユニットは、版胴の画像がブランケット胴に転写され、ブランケット胴でウェブをニップしながら、ブランケット胴の画像をウェブに転写する。
【０００３】
印刷機は、ブランケット胴の表面に異物が付着すると印刷物に悪影響が生じる。付着物のうち、パイリングの付着を防止するために、特許文献１には、版胴からブランケット胴への印刷パターンの転移位置を版胴の所定の回転数以下の回転数毎に変位させ、版胴の回転方向成分を含む変位動作をさせるブランケットパイリング防止方法が記載されている。また、付着物の悪影響を防止するためにブランケット胴を洗浄するブランケット胴洗浄装置を備えている印刷機がある（例えば、特許文献２参照）。特許文献２に記載の装置は、紙継ぎ時にウェブの搬送速度を低下させ、ブランケット胴を洗浄装置で洗浄することが記載されている。
【先行技術文献】
【特許文献】
【０００４】
【特許文献１】特開２００９−２６２５０７号公報
【特許文献２】特開平８−２０１０４号公報
【発明の概要】
【発明が解決しようとする課題】
【０００５】
特許文献２は、紙継ぎ時にブランケット胴を洗浄装置で洗浄することで、ブランケット胴に付着した異物を除去できる。しかしながら、ウェブの速度を低下させるため、印刷の効率が低下するという問題がある。また、ブラシや布をブランケット胴に付着させて洗浄を行う洗浄装置を用いる洗浄を、ブランケット胴が高速で回転している状態で実行するとブランケット胴が消耗するという問題がある。
【０００６】
そこで、本発明は、印刷の効率の低下を抑制しつつ、効率よくブランケット胴の汚れを低減することができる印刷機及びパイリング除去方法を提供することを課題とする。
【課題を解決するための手段】
【０００７】
本発明の印刷機は、搬送されるウェブに転接するブランケット胴と、前記ブランケット胴に転接し、刷版が装着された版胴と、前記ウェブを搬送する搬送装置と、前記ブランケット胴が前記ウェブをニップしている状態と、前記ウェブをニップせずに接している状態とを切り換える切り換え装置と、前記搬送装置及び前記切り換え装置を制御する制御装置と、を備え、前記制御装置は、前記ウェブの製品とならない部分が前記ブランケット胴を通過するときに、前記切り換え装置でウェブをニップせずに接している状態とし、かつ、前記ブランケット胴の表面の速度と、前記ウェブの速度を異なる速度とするパイリング除去処理を実行させることを特徴とする。
【０００８】
これにより、印刷機は、前記ウェブの製品とならない部分が前記ブランケット胴を通過するときに、ウェブを用いてパイリングの除去を実行することができる。以上より、印刷物が生成されないウェブを用いてパイリングの除去、低減を実行できることで、印刷の効率の低下を抑制しつつ、効率よくブランケット胴の汚れ、具体的にはパイリングを低減することができる。
【０００９】
前記搬送装置は、前記ウェブの張力を調整する調整装置を有することが好ましい。これにより、より確実にパイリングを低減することができる。
【００１０】
また、前記ウェブの製品とならない部分は、２枚の前記ウェブが積層された紙継ぎ部分を含むことが好ましい。これにより、印刷の実行中に、損紙の増加を抑制しつつ、パイリングを除去することができる。
【００１１】
また、前記ブランケット胴に洗浄液を供給する洗浄液供給装置をさらに有し、前記制御装置は、パイリング除去処理の実行時に、前記洗浄液を供給することが好ましい。これにより、よりパイリングを除去しやすくすることができる。
【００１２】
また、前記ウェブの幅方向において、前記ブランケット胴に対する前記ウェブの位置を相対的に変化させる幅方向位置調整装置を有し、前記制御装置は、前記パイリング除去処理を実行する場合、前記ブランケット胴に対する前記ウェブの位置を変化させることが好ましい。これにより、より効率よくパイリングを除去することができる。
【００１３】
また、前記ブランケット胴を洗浄するブランケット胴洗浄装置をさらに有し、前記制御装置は、パイリング除去処理の実行中に、前記ブランケット胴洗浄装置で洗浄処理を実行することが好ましい。これにより、ブランケット胴に付着した異物をより除去することができる。
【００１４】
また、前記ブランケット胴を洗浄するブランケット胴洗浄装置をさらに有し、前記制御装置は、パイリング除去処理の実行中に、前記ブランケット胴洗浄装置で洗浄処理を実行しないことが好ましい。これにより、ブランケット胴の消耗を抑制しつつ、パイリングを除去することができる。
【００１５】
また、前記制御装置は、前記ウェブの製品とならない部分が前記ブランケット胴を通過するときに前記ブランケット胴の表面の速度を変化させて、前記ブランケット胴の表面の速度を前記ウェブの速度よりも低速とすることが好ましい。これにより、印刷機の制御を簡単にしつつ、パイリングを除去することができる。
【００１６】
また、前記制御装置は、パイリング除去処理前の前記ウェブに対する前記ブランケット胴の位相と、パイリング除去処理後の前記ウェブに対する前記ブランケット胴の位相を、同じ位相とすることが好ましい。これにより、ブランケット胴の上流と下流の制御に対する影響を少なくしつつ、パイリング除去処理をすることができる。ブランケット胴の下流の制御としては、印刷物を切断する工程がある。
【００１７】
本発明のパイリング除去方法は、搬送されるウェブに転接するブランケット胴と、前記ブランケット胴に転接し、刷版が装着された版胴と、前記ウェブを搬送する搬送装置と、前記ブランケット胴が前記ウェブをニップしている状態と、前記ウェブをニップせずに接している状態とを切り換える切り換え装置とを備える印刷機のパイリング除去方法であって、前記ウェブの製品とならない部分が前記ブランケット胴を通過するときに、前記切り換え装置でウェブをニップせずに接している状態とし、かつ、前記ブランケット胴の表面の速度と、前記ウェブの速度を異なる速度とすることを特徴とする。
【００１８】
これにより、前記ウェブの製品とならない部分が前記ブランケット胴を通過する場合ウェブを用いてパイリングの除去を実行することができる。以上より、印刷物が生成されないウェブを用いてパイリングの除去、低減を実行できることで、印刷の効率の低下を抑制しつつ、効率よくブランケット胴の汚れ、具体的にはパイリングを低減することができる。
【発明の効果】
【００１９】
本発明によれば、印刷の効率の低下を抑制しつつ、効率よくブランケット胴の汚れ、具体的にはパイリングを低減することができる。
【図面の簡単な説明】
【００２０】
【図１】図１は、本実施形態の新聞用オフセット輪転印刷機を表す概略構成図である。
【図２】図２は、本実施形態の印刷ユニットを表す概略構成図である。
【図３】図３は、本実施形態の印刷ユニットの要部を表す概略構成図である。
【図４】図４は、本実施形態の印刷ユニットのパイリング除去処理の一例を示すフローチャートである。
【図５】図５は、本実施形態の印刷ユニットのパイリング除去処理の一例を示すタイミングチャートである。
【図６】図６は、本実施形態の印刷ユニットのパイリング除去処理を説明するための説明図である。
【図７】図７は、本実施形態の印刷ユニットのパイリング除去処理を説明するための説明図である。
【図８】図８は、本実施形態の印刷ユニットのパイリング除去処理の他の例を示すタイミングチャートである。
【図９】図９は、本実施形態の印刷ユニットのパイリング除去処理の他の例を示すタイミングチャートである。
【図１０】図１０は、他の実施形態の印刷ユニットを表す概略構成図である。
【発明を実施するための形態】
【００２１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００２２】
［実施形態１］
図１は、本実施形態の新聞用オフセット輪転印刷機を表す概略構成図である。図２は、本実施形態の印刷ユニットを表す概略構成図である。図３は、本実施形態の印刷ユニットの要部を表す概略構成図である。
【００２３】
本実施形態の印刷機は、図１に示すように、新聞用オフセット輪転印刷機であって、複数（本実施形態では、８台）の給紙ユニットＲ１〜Ｒ８を有する給紙装置Ｒと、複数（本実施形態では、６台）の印刷ユニットＵ１〜Ｕ６を有する印刷装置Ｕと、複数（本実施形態では、２台）のウェブパスユニットＤ１，Ｄ２を有するウェブパス装置Ｄと、複数（本実施形態では、２個）の折ユニットＦ１，Ｆ２を有する折機Ｆと、制御装置５１と、を有する。
【００２４】
なお、印刷ユニットＵ１〜Ｕ６を６台として説明するが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。
【００２５】
また、図１において、２つの折ユニットＦ１，Ｆ２を左右に並べて記載しているが、実際には、紙面に直行する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００２６】
そして、本実施形態の新聞用オフセット輪転印刷機では、図示しない建屋の１階に給紙ユニットＲ１〜Ｒ８が設置され、２階及び３階に印刷ユニットＵ１〜Ｕ６が設置され、３階から５階にウェブパス装置Ｄが設置され、また、２階、３階に折機Ｆが設置されている。
【００２７】
ここで、上述した給紙装置Ｒ、印刷装置Ｕ、ウェブパス装置Ｄ、折機Ｆについて詳細に説明する。
【００２８】
給紙装置Ｒにおいて、給紙ユニットＲ１〜Ｒ８は、ほぼ同様の構成をなし、ウェブＷがロール状に巻かれた３つの巻取紙を保持する保持アーム１１が設けられ、この保持アーム１１を回動することで、巻取紙を給紙位置に回動することができる。また、この各給紙ユニットＲ１〜Ｒ８には、図示しない紙継装置が設けられており、給紙位置で繰り出されている巻取紙が残り少なくなると、この紙継装置により給紙位置にある巻取紙に対して、待機位置にある巻取紙を紙継することができる。
【００２９】
印刷装置Ｕにおいて、図１及び図２に示すように、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。なお、詳細は後述するが、各印刷ユニットＵ１〜Ｕ６は、ウェブＷの表裏両面に転接する一対のブランケット胴１３と、一対のブランケット胴１３にそれぞれ転接する版胴１２とを備えている。そして、版胴１２の周長が新聞（印刷物）の１頁の縦の長さに設定され、ブランケット胴１３の周長が版胴１２の周長の整数倍に設定されている。なお、版胴１２の周長（直径）とブランケット胴１３の周長（直径）を同じに設定してもよい。そして、版胴１２の周面には、周方向において１つの刷版（図示略）が、軸方向において４つの刷版が着脱自在に装着される。
【００３０】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００３１】
ウェブパス装置（搬送装置）Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００３２】
従って、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わせられることで、複数のウェブＷ１となる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わせられることで、複数のウェブＷ２となる。
【００３３】
折機Ｆにて、２つの折ユニットＦ１，Ｆ２は、操作側と駆動側に配設されている。従って、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００３４】
ここで、印刷装置Ｕにおける印刷ユニットＵ１について詳細に説明する。なお、他の各印刷ユニットＵ２〜Ｕ６もほぼ同様の構成となっているため、他の各印刷ユニットＵ２〜Ｕ６の説明については省略する。
【００３５】
印刷ユニットＵ１は、図２に示すように、４色印刷が可能なＨ型のタワーユニットとなっている。この印刷ユニットＵ１〜Ｕ６は、墨（Black）、藍（Cyan）、紅（Magenta）、黄（Yellow）ごとの４つのスタックａ，ｂ，ｃ，ｄが上下に配置されている。各スタックａ，ｂ，ｃ，ｄは、それぞれ左右に対向して設けられる一対の版胴１２ａ，１２ｂ，１２ｃ，１２ｄと、一対の版胴１２ａ，１２ｂ，１２ｃ，１２ｄにそれぞれ転接する左右一対のブランケット胴１３ａ，１３ｂ，１３ｃ，１３ｄを有している。また、各スタックａ，ｂ，ｃ，ｄは、一対の版胴１２ａ，１２ｂ，１２ｃ，１２ｄの数に応じて、インキ壺１５ａ，１５ｂ，１５ｃ，１５ｄが左右に一対設けられている。なお、各インキ壺１５ａ，１５ｂ，１５ｃ，１５ｄから各版胴１２ａ，１２ｂ，１２ｃ，１２ｄに至るまでのインキ供給経路は、図示しない複数のインキローラによって構成されている。また、印刷ユニットＵ１は、４つのスタックａ，ｂ，ｃ，ｄのそれぞれにブランケット胴洗浄装置２２ａ，２２ｂ，２２ｃ，２２ｄが配置されている。
【００３６】
この場合、スタックａ，ｃは、版胴１２ａ，１２ｃ及びブランケット胴１３ａ，１３ｃがハの字形状に配列され、スタックｂ，ｄは、版胴１２ｂ，１２ｄ及びブランケット胴１３ｂ，１３ｄが逆ハの字形状に配列されている。
【００３７】
次に、図３を参照して、上方側から２番目に配置されるスタックｃについて詳細に説明する。なお、他のスタックａ，ｂ，ｄも、スタックｃとほぼ同様の構成となっている。
【００３８】
スタックｃは、図３に示すように、鉛直方向に沿って上方向に搬送されるウェブＷの搬送経路に対して、左側がウェブＷの表面印刷を行う表面印刷ユニットであり、右側がウェブＷの裏面印刷を行う裏面印刷ユニットである。
【００３９】
スタックｃは、上記した一対のブランケット胴１３ｃと、上記した一対の版胴１２ｃと、インキ供給装置６１と、湿し装置７１と、幅見当修正装置２１と、ブランケット胴洗浄装置２２ｃと、を有している。
【００４０】
インキ供給装置６１は、上記した一対のインキ壺１５ｃと、一対のインキ壺１５ｃから一対の版胴１２ｃまでのインキ供給経路に設けられる複数のインキローラ（図示省略）とを含んで構成されている。インキ供給装置６１は、インキ着ローラ１４ｃが版胴１２ｃと接し、インキ着ローラ１４ｃから版胴１２ｃにインキを供給する。
【００４１】
湿し装置７１は、スプレー方式であって、左右一対の水ライダローラ８１と、左右一対の水往復ローラ８２と、左右一対の水着ローラ８３と、左右一対のスプレーノズル８４とから構成されている。
【００４２】
水ライダローラ８１は、ローラ間で受け渡される湿し水を練るものであり、表面がゴムにより形成され、隣接するローラに対接するようにフレームに回転自在に支持されている。また、水往復ローラ８２は、隣接するローラ間で受け渡される湿し水を幅方向に広げるものであって、表面が金属により形成され、隣接するローラに対接するようにフレームに回転自在に支持されると共に、軸方向に往復移動可能となっている。水着ローラ８３は、水往復ローラ８２により幅方向に広げられた湿し水を受け取って供給するものであって、表面がゴムにより形成され、水往復ローラ８２に対接するようにフレームに回転自在に支持されている。スプレーノズル８４は、水往復ローラ８２に対して幅方向に沿って複数配置されている。このとき、複数のスプレーノズル８４のうちのいずれかを作動することで、水往復ローラ８２の軸方向における所定の領域だけに湿し水を供給することができる。
【００４３】
また、湿し装置７１には、水着ローラ８３を、水往復ローラ８２の外周に沿って移動させる水着ローラ移動機構８５が設けられている。水着ローラ移動機構８５は、保守時において使用され、版胴１２ｃ及び水往復ローラ８２に転接する上方側の位置から、版胴１２ｃ及び水往復ローラ８２に転接しない下方側の位置へ向かって、水着ローラ８３を水往復ローラ８２の外周に沿って移動させる。
【００４４】
版胴１２ｃは、表面に刷版が巻き付けられる金属ローラであり、水着ローラ８３の湿し水が刷版の非画線部に受け渡された後、インキ供給装置６１から供給されるインキが刷版の画線部に受け渡される。この版胴１２ｃは、水着ローラ８３に転接するようにフレームに回転自在に支持されている。ブランケット胴１３ｃは、表面に図示しないブランケット（ゴム）が巻き付けられるゴムローラであり、版胴１２ｃから受け渡されたインキをウェブＷに転写するものであって、版胴１２ｃに対接するようにフレームに回転自在に支持されている。ここで、左右のブランケット胴１３ｃは、所定高さだけ上下方向にずれて配置されている。即ち、左右のブランケット胴１３ｃは、水平線に対して所定角度θだけ回動した位置に配置されることで、左側のブランケット胴１３ｃが右側のブランケット胴１３ｃより所定高さだけ上方に位置している。そして、版胴１２ｃとブランケット胴１３ｃは、図示しないギアにより同期駆動するように連結され、駆動装置により駆動回転可能となっている。また、ブランケット胴は、切換装置により、着状態（ウェブＷをニップしている状態）と脱状態（ウェブＷをニップしていない状態）とが切り換えられる。ブランケット胴は、脱状態で、かつ、ウェブＷと接している状態とすることもできる。
【００４５】
この場合、版胴１２ｃに装着される刷版は、絵柄のある領域（画線部）と絵柄のない領域（非画線部）が形成され、画線部が親油性であり、非画線部が親水性である。そのため、版胴１２ｃに装着された刷版に対して、水着ローラ８３から湿し水が供給された後に、インキ供給装置６１からインキが供給されると、画線部のみにインキが転写され、非画線部に湿し水が転写される。そして、版胴１２ｃに対してブランケット胴１３ｃが対接して同期回転すると、版胴１２ｃから画線部にあるインキがブランケット胴１３ｃに転写される。
【００４６】
このような上記したスタックｃにおいて、インキ供給装置６１のインキ壺１５ｃからインキが供給されると、供給されたインキは、インキ供給経路を通り、インキ着ローラ１４ｃを介して、版胴１２ｃに装着された刷板の画線部に受け渡される。一方で、スプレーノズル８４が水往復ローラ８２に湿し水を噴射すると、水ライダローラ８１は、水往復ローラ８２に付与された湿し水を水着ローラ８３を介して、版胴１２ｃの版胴１２ｃに装着された刷板の非画線部に受け渡す。そして、この版胴１２ｃが回転することで、刷版の画線部にあるインキがブランケット胴１３ｃに受け渡される。
【００４７】
その後、ブランケット胴１３ｃの間のニップ部にウェブＷが通過するときに、その印圧により各ブランケット胴１３ｃに転写されたインキ（絵柄）がウェブＷの表裏に転写される。即ち、ウェブＷの表面に対して、左側のブランケット胴１３ｃのインキが転写され、ウェブＷの裏面に対して、右側のブランケット胴１３ｃのインキが転写されることで、ウェブＷへの両面印刷が行われる。
【００４８】
幅見当修正装置２１は、図２及び図３に示すように、スタックｂとスタックｃとの間に設けられている。幅見当修正装置２１は、ウェブデータや印刷データに基づいてウェブＷの幅方向における見当を調整するものである。つまり、搬送されるウェブＷが、印刷ユニットＵ１のスタックａ，ｂにより印刷されると、ウェブＷにはインキや水分等が含有されるため、ウェブＷが幅方向に延伸してしまう。この状態で、印刷ユニットＵ１のスタックｃ，ｄにより、ウェブＷに印刷が行われると、ウェブＷに印刷ズレが生じてしまう。このため、幅見当修正装置２１により幅方向に延伸したウェブＷを印刷前のウェブＷの幅に復元することで、見当ズレ（ファンアウト）を修正する。ここで、ウェブデータとは、ウェブＷの幅（ウェブサイズ）、ウェブＷの走行速度、ウェブＷのテンション（張力）などであり、印刷データとは、画線率などである。この場合、ウェブＷの走行速度やテンションは、オンラインでセンサを用いて計測すればよい。
【００４９】
ブランケット胴洗浄装置２２ｃは、ブランケット胴１３ｃのそれぞれに対して配置されている。ブランケット胴洗浄装置２２ｃは、ブラシ及び布の少なくとも一方がブランケット胴１３ｃに対して着脱自在の状態で配置されている。ブランケット胴洗浄装置２２ｃは、ブランケット胴１３ｃに対してブラシまたは布を接触させることで、ブランケット胴１３ｃの表面に付着した異物を除去する。ブランケット胴洗浄装置２２ｃは、ブランケット胴１３ｃに対して洗浄液を供給する洗浄液供給装置を備えていてもよい。洗浄液としては、水、付着物をブランケット胴から剥しやすくできる薬剤が混合された液体を用いることができる。
【００５０】
制御装置５１は、新聞用オフセット輪転印刷機の各部の動作を制御し、ウェブＷへの印刷を実行する。また、制御装置５１は、新聞用オフセット輪転印刷機の各部の動作を制御し、ブランケット胴１３に付着した異物を除去する処理を実行する。
【００５１】
次に、図４から図９を用いて、制御装置５１によるパイリング除去動作について説明する。図４は、本実施形態の印刷ユニットのパイリング除去処理の一例を示すフローチャートである。図５は、本実施形態の印刷ユニットのパイリング除去処理の一例を示すタイミングチャートである。図６及び図７は、それぞれ本実施形態の印刷ユニットのパイリング除去処理を説明するための説明図である。
【００５２】
制御装置５１は、ペースタ信号を受信した場合、各部の動作を制御して、ブランケット胴１３に付着したパイリングを除去する処理（パイリング除去処理）を実行する。つまり、制御装置５１は、給紙装置ＲからウェブＷを供給する巻取紙を交換する処理と並行してパイリング除去処理を実行する。なお、図５に示すように、ペースタ処理及びパイリング除去処理実行中の印刷ユニットを通過するウェブＷは、一定速度で搬送される。
【００５３】
制御装置５１は、ペースタ信号を受信した（ステップＳ１２）場合、パイリング除去処理を実行する。図５に示す処理では、ペースタ信号がＯＦＦからＯＮになる時間ｔ１でペースタ信号を受信したことを検出する。制御装置５１は、ペースタ信号を受信した場合、給紙装置Ｒの巻取紙を交換する処理を開始する。これにより、対象の印刷ユニットには、一時的に巻取紙の交換時に生成される２枚のウェブＷが重なった部分が通過する。
【００５４】
制御装置５１は、ペースタ信号を受信した場合、水の供給量を増加し、インキ着ローラ１４を離脱させる（ステップＳ１４）。図５に示す処理では、時間ｔ２で供給する湿し水の量を量Ｖ１からＶ２に増量し、時間ｔ３でインキ着ローラ１４を離脱させる。湿し水の増量と、インキ着ローラ１４の離脱のタイミングは、逆でもよく、同時でもよい。インキ着ローラ１４を離脱させることで、ブランケット胴１３に新たなインキが供給されない状態となる。また、湿し水の供給量を増加させることで、パイリングがブランケット胴１３から離れやすい状態とする。
【００５５】
制御装置５１は、水の供給量を増加し、インキ着ローラ１４を離脱させた場合、胴抜き処理を開始し、水の供給を停止する（ステップＳ１６）。図５に示す処理では、時間ｔ４で胴の離脱処理を開始する。ブランケット胴１３は、離脱処理を開始することで、一定時間経過後、ウェブＷをニップしていないが、ウェブＷと接している状態となる。具体的には、ブランケット胴１３ａ，１３ｂ，１３ｃ，１３ｄは、着状態の場合、図６に示すように、ブランケット胴１３ａ，１３ｂ，１３ｃ，１３ｄのそれぞれで、ウェブＷをニップ点２７で挟み込み、ニップしており、かつ接している状態となる。これに対して、ブランケット胴１３ａ，１３ｂ，１３ｃ，１３ｄは、離脱状態（脱状態）の場合、図７に示すように、ブランケット胴１３ａ，１３ｂ，１３ｃ，１３ｄのそれぞれが、ウェブＷを接点１８で接しているが、ニップしていない状態となる。制御装置５１は、時間ｔ４で、ブランケット胴１３ａ，１３ｂ，１３ｃ，１３ｄのそれぞれが、ウェブＷを接点２８で接しているが、ニップしていない状態とする。また、印刷機は、時間ｔ４でブランケット胴１３ａ，１３ｂ，１３ｃ，１３ｄが脱状態となった時点からウェブＷに適切な印刷が実行されないため、損紙となる。また、制御装置５１は、時間ｔ４で湿し水の供給を停止、つまり湿し水の量を量Ｖ２から０に減量し、水着ローラ８３をブランケット胴１３から離脱させる。本実施形態の印刷機は、ブランケット胴１３の離脱処理によって、ブランケット胴１３と対向するブランケット胴１３、及びブランケット胴１３と版胴１２が脱状態になる。そのため、ブランケット胴１３が脱状態になると、湿し水はブランケット胴１３には供給されない。また、湿し水を供給し続けることで、余剰な水が版胴に溜まる。そのため、ブランケット胴１３が脱状態になると湿し水の供給を停止して、水着ローラ８３を離脱させる。
【００５６】
なお、ブランケット胴１３の離脱処理を行っても、ブランケット胴１３と版胴１２が着状態である印刷機の場合は、パイリング除去処理中であっても版胴１２からブランケット胴１３へ湿し水を供給してもよい。この場合、印刷機は、ブランケット胴１３が脱状態中に、湿し水の供給停止、及び水着ローラ８３の離脱処理は実施しない。
【００５７】
制御装置５１は、胴抜き処理を開始した後、ブランケット胴１３の回転速度を減速する（ステップＳ１８）。図５に示す処理では、時間ｔ４から時間ｔ５で、ブランケット胴１３の回転速度を減速させる。時間ｔ５経過後は、時間ｔ４前よりも減速した一定の速度でブランケット胴１３を回転させる。
【００５８】
制御装置５１は、胴の回転速度を減速した後、復帰処理を開始するかを判定する（ステップＳ２０）。制御装置５１は、各種センサの検出結果または予め設定されている時間が経過したかに基づいて、復帰処理を実行するかを判定する。制御装置５１は、復帰処理を開始しない（ステップＳ２０でＮｏ）と判定した場合、ステップＳ２０に戻る。制御装置５１は、復帰処理を開始する（ステップＳ２０でＹｅｓ）と判定した場合、復帰処理、つまり印刷を行っている状態に復帰する処理を開始する。
【００５９】
制御装置５１は、復帰処理を開始した場合、ブランケット胴１３の回転速度を増速させる（ステップＳ２２。）図５に示す処理では、時間ｔ６から時間ｔ７で、ブランケット胴１３の回転速度を増速させる。時間ｔ７経過後は、時間ｔ４前と同じ一定の速度でブランケット胴１３を回転させる。
【００６０】
制御装置５１は、ブランケット胴１３の回転速度を増速させた後、水の供給を再開し、水着ローラ８３、及びインキ着ローラ１４を着状態とする（ステップＳ２４）。図５に示す処理では、時間ｔ６で供給する湿し水の量を０から量Ｖ１に増加させ、水着ローラ８３、及びインキ着ローラ１４を着状態とする。湿し水の増量と、水着ローラ８３、及びインキ着ローラ１４の離脱のタイミングは、別々としてもよい。
【００６１】
制御装置５１は、水の供給量を再開し、水着ローラ８３、及びインキ着ローラ１４を着状態とした後、ブランケット胴１３を着状態とする（ステップＳ２６）。図５に示す処理では、時間ｔ７でブランケット胴１３が着状態となる。印刷機は、ブランケット胴１３が着状態となってから所定時間経過した時間ｔ８以降に印刷ユニットを通過したウェブＷは、印刷が適切に実行された正紙となる。
【００６２】
制御装置５１は、以上のように、ブランケット胴１３がウェブＷとニップしていない状態で接し、かつ、ウェブＷとブランケット胴１３との速度が異なる速度、具体的には、接触する位置でのウェブＷとブランケット胴１３との速度が異なる速度とすることで、ブランケット胴１３に付着したパイリングをウェブＷで除去することができる。また、制御装置５１は、パイリング除去処理を実行することで、ペースタ処理を実行している間に、パイリングの除去を実行することができる。ここで、制御装置５１は、図５の時間ｔ４から時間ｔ８の時間に巻取紙を交換することで生じる損紙が印刷ユニットを通過するタイミングと一致させるように制御することが好ましい。これにより、ペースタ処理で生じる損紙、つまりウェブＷの製品とならない部分である２枚のウェブＷが積層された紙継ぎ部分でパイリング除去処理を実行することができ、ウェブＷの無駄の発生を抑制しつつ、パイリングの除去を実行することができる。また、ペースタ実行中に平行してパイリング除去処理を行うことができ、またウェブＷの搬送速度を一定としているため、パイリング除去処理を実行することで、印刷の効率が低下することを抑制できる。
【００６３】
また、本実施形態の印刷機は、ペースタ処理時にパイリング除去処理を実行することで、ブランケット胴１３ａ，１３ｂ，１３ｃ，１３ｄに付着するパリングを低減することができ、ブランケット胴洗浄装置２２ａ，２２ｂ，２２ｃ，２２ｄによりブランケット胴１３ａ，１３ｂ，１３ｃ，１３ｄの洗浄が必要となるまでの期間を長くすることができる。これにより、印刷効率を高くすることができる。特に本実施形態のように、ウェブＷが新聞紙で印刷物が新聞の場合、パイリングが付着しやすいウェブＷを用いることがあるため、有効である。また、本実施形態では、ブランケット胴洗浄装置２２ａ，２２ｂ，２２ｃ，２２ｄを設けたがブランケット胴洗浄装置２２ａ，２２ｂ，２２ｃ，２２ｄを設けなくてもよい。
【００６４】
また、印刷機は、パイリング除去処理時に湿し水を増量することで、ブランケット胴１３ａ，１３ｂ，１３ｃ，１３ｄに付着したパイリングを除去しやすくすることができる。また、ブランケット胴１３ａ，１３ｂ，１３ｃ，１３ｄに水を供給することで、ウェブＷを水でぬらす場合よりも、ウェブＷが切れることを抑制できる。特に本実施形態のようにウェブＷが新聞紙の場合、比較的紙が切れやすいため、有効である。また、上記実施形態では、湿し装置７１から水を供給したがブランケット胴１３ｃに水を供給できればよい。例えば、印刷機は、ブランケット胴洗浄装置２２ｃに水を供給する装置が備えられている場合、ブランケット胴洗浄装置２２ｃから水を供給してもよい。この場合は、ブランケット胴洗浄装置２２ｃからブランケット胴１３ｃに直接水を供給するため、パイリング除去処理中に湿し水を供給し続けることができる。そのため、ブランケット胴１３ｃに付着したパイリングをより除去しやすくすることができる。
【００６５】
また、印刷機は、パイリング除去処理時に、ブランケット胴洗浄装置２２ａ，２２ｂ，２２ｃ，２２ｄでブランケット胴の洗浄を実行してもよい。これにより、ブランケット胴１３ａ，１３ｂ，１３ｃ，１３ｄに付着したパイリング以外の異物もより確実に除去することができる。また、印刷機は、パイリング除去処理時に、ブランケット胴洗浄装置２２ａ，２２ｂ，２２ｃ，２２ｄでブランケット胴１３ａ，１３ｂ，１３ｃ，１３ｄの洗浄を実行しないことも好ましい。例えば、印刷ユニットを通過するウェブＷが、減速中、あるいは増速中の時にパイリング除去処理を実行する場合はウェブＷの搬送速度が通常運転速度よりも低速であるため、パイリング除去処理時に、ブランケット胴洗浄装置２２ａ，２２ｂ，２２ｃ，２２ｄでブランケット胴１３ａ，１３ｂ，１３ｃ，１３ｄの洗浄を実行してもよい。一方、印刷ユニットを通過するウェブＷが、一定速度（通常運転速度相当）で搬送される場合は、ブランケット胴洗浄装置２２ａ，２２ｂ，２２ｃ，２２ｄとの接触によりブランケットが磨耗するため、パイリング除去処理時に、ブランケット胴洗浄装置２２ａ，２２ｂ，２２ｃ，２２ｄでブランケット胴１３ａ，１３ｂ，１３ｃ，１３ｄの洗浄を実行しないことが好ましい。これにより、ブランケット胴１３ａ，１３ｂ，１３ｃ，１３ｄの消耗を抑制することができる。
【００６６】
印刷機は、ウェブＷの張力を調整する調整装置（テンションコントローラ）を備えることが好ましい。これにより、パイリング除去処理の実行時にウェブＷが破断することをより確実に抑制することができる。
【００６７】
印刷機は、パイリング除去処理を実行する場合、幅方向見当装置（幅方向位置調整装置）２１でブランケット胴１３ａ，１３ｂ，１３ｃ，１３ｄがウェブＷをニップしている状態から、ウェブＷをニップせずに接している状態に切り換える前に、ブランケット胴１３ａ，１３ｂ，１３ｃ，１３ｄに対するウェブＷの位置を変化させることが好ましい。ウェブＷの移動量は、例えば０．１ｍｍである。ウェブＷの幅方向において、ブランケット胴１３ａ，１３ｂ，１３ｃ，１３ｄに対するウェブＷの位置を変化させることで、より効率よくパイリングを除去することができる。幅方向見当装置２１でブランケット胴１３ａ，１３ｂ，１３ｃ，１３ｄに対するウェブＷの位置を変化させるタイミングは、ブランケット胴１３ａ，１３ｂ，１３ｃ，１３ｄがウェブＷをニップしている状態から、ウェブＷをニップせずに接している状態に切り換える前（胴抜き前）に限定されず、ブランケット胴１３ａ，１３ｂ，１３ｃ，１３ｄがウェブＷをニップしている状態から、ウェブＷをニップせずに接している状態に切り換えている間（胴抜き中）でもよく、ウェブＷをニップせずに接している状態の間（胴抜き後）でもよい。
【００６８】
また、印刷機は、本実施形態のように、パイリング除去処理時に、ブランケット胴１３ａ，１３ｂ，１３ｃ，１３ｄの表面の速度を変化させて、前記ブランケット胴１３ａ，１３ｂ，１３ｃ，１３ｄの表面の速度を前記ウェブＷの速度よりも低速とすることが好ましい。これにより、ウェブＷの搬送速度を維持することができ、印刷機全体に与える影響を少なくしつつ、パイリングを除去することができる。
【００６９】
制御装置５１は、パイリング除去処理前のウェブＷに対するブランケット胴１３ａ，１３ｂ，１３ｃ，１３ｄの位相と、パイリング除去処理後のウェブに対するブランケット胴１３ａ，１３ｂ，１３ｃ，１３ｄの位相を、同じ位相とすることが好ましい。ここで、ウェブＷに対するブランケット胴１３ａ，１３ｂ，１３ｃ，１３ｄの位相とは、印刷時にブランケット胴１３ａ，１３ｂ，１３ｃ，１３ｄの１回転でウェブＷに転写される領域をパイリング除去処理中も継続したと仮定した場合のウェブＷの位置とブランケット胴１３ａ，１３ｂ，１３ｃ，１３ｄの位置との関係である。ウェブＷがブランケット胴１３ａ，１３ｂ，１３ｃ，１３ｄの下流側で同じ長さに切断された時の位置にもなる。制御装置５１は、ウェブＷの搬送速度に対してブランケット胴１３ａ，１３ｂ，１３ｃ，１３ｄの表面の速度を遅くした場合、一時的にブランケット胴１３ａ，１３ｂ，１３ｃ，１３ｄの表面の速度をウェブＷの搬送速度に対して早くして、ウェブＷに対するブランケット胴１３ａ，１３ｂ，１３ｃ，１３ｄの位相と同じとする。また、パイリング除去処理で前記ブランケット胴１３ａ，１３ｂ，１３ｃ，１３ｄを整数回転数分遅くして、ウェブＷに対する前記ブランケット胴１３ａ，１３ｂ，１３ｃ，１３ｄの位相を、同じとする。これにより、ブランケット胴１３ａ，１３ｂ，１３ｃ，１３ｄの上流と下流の制御に対する影響を少なくしつつ、パイリング除去処理をすることができる。ブランケット胴１３ａ，１３ｂ，１３ｃ，１３ｄの下流の制御としては、印刷物を切断する工程がある。
【００７０】
上記実施形態では、ペースタ時（紙継ぎ時）にパイリング除去処理を実行する場合として説明したが、これに限定されない。パイリング除去処理は、印刷ユニットを通過中のウェブＷを製品として使用しない種々の場合で実行することができる。
【００７１】
図８は、本実施形態の印刷ユニットのパイリング除去処理の他の例を示すタイミングチャートである。図８に示す処理は、ウェブＷの搬送開始時、印刷速度の変更時等、ウェブＷの搬送速度を加速している間にパイリング除去処理を実行する場合の処理を示している。図８に示す処理では、ウェブＷが停止している状態から搬送が開始され搬送速度が印刷開始可能な速度に加速され、その後一定速度となる間を示している。
【００７２】
制御装置５１は、時間ｔ１１で、ウェブＷの搬送を開始し、ウェブＷの速度に合わせてブランケット胴１３も回転させる。この時、インキ着ローラ１４、水着ローラ８３、ブランケット胴１３は、いずれも脱状態である。
【００７３】
次に、時間ｔ１２で湿し水の供給を開始し、水着ローラ８３を版胴に対して着状態とし、ブランケット胴１３も着状態とする。湿し水は、印刷実行時の量Ｖ１よりも多い量Ｖ２を供給する。その後、時間ｔ１３でブランケット胴１３、及び水着ローラ８３を脱状態とし、湿し水の供給も停止する。つまり湿し水の供給量を量Ｖ２から０とする。このとき、ブランケット胴１３の回転速度は一定速度とし、ウェブＷよりも遅い速度とする。その後、時間ｔ１４でブランケット胴１３の回転速度の増速を開始し、時間ｔ１５にウェブＷと同じ速度まで増速させる。また、時間ｔ１５で水着ローラ８３を着状態とし、湿し水の供給を開始する。つまり湿し水の供給量を０から量Ｖ１とする。その後、時間ｔ１６でブランケット胴１３を着状態とし、時間ｔ１７でインキ着ローラ１４を着状態とする。その後、時間ｔ１８でウェブＷとブランケット胴１３の増速を停止し、一定速度とする。
【００７４】
印刷機は、図８に示すように、ウェブＷの増速時もブランケット胴１３がウェブＷとニップしていない状態で接し、かつ、ウェブＷとブランケット胴１３との速度が異なる速度とすることで、具体的には、図８の時間ｔ１３から時間ｔ１５の間でパイリングを除去することができる。なお、制御では同じ速度となるがブランケット胴１３が移動している時間ｔ１５から時間ｔ１６の間もパイリングを除去することができる。このように、ウェブＷの増速時も製品の印刷が行われずにウェブＷが搬送されるため、損紙となるウェブＷを利用してパイリングの除去を実行することができる。なお、ブランケット胴１３の離脱処理を行っても、ブランケット胴１３と版胴１２が着状態である印刷機の場合は、パイリング除去処理中（時間ｔ１３から時間ｔ１５）であっても版胴１２からブランケット胴１３へ湿し水を供給してもよい。つまり、ブランケット胴の離脱処理を行っても、ブランケット胴と版胴が着状態である印刷機の場合、パイリング除去処理中の湿し水の供給停止、及び水着ローラ８３の離脱処理は実施せず、パイリング除去処理中（時間ｔ１３から時間ｔ１５）、常に水着ローラ８３を着状態とし、ブランケット胴１３への湿し水の供給を継続してもよい。
【００７５】
図９は、本実施形態の印刷ユニットのパイリング除去処理の他の例を示すタイミングチャートである。図９に示す処理は、印刷を終了しウェブＷの搬送停止時、印刷速度の変更時等、ウェブＷの搬送速度を減速している間にパイリング除去処理を実行する場合の処理を示している。図９に示す処理では、ウェブＷが一定速度で移動し、印刷を実行している状態から搬送速度が減速され、その後停止するまでの間を示している。
【００７６】
時間ｔ２１より前の印刷機は、インキ着ローラ１４、水着ローラ８３、ブランケット胴１３のいずれも着状態である。制御装置５１は、印刷機を停止する指示を検出した場合、時間ｔ２０で湿し水の供給量を量Ｖ１から量Ｖ２に増加させる。次に、時間ｔ２１で、インキ着ローラ１４と水着ローラ８３とブランケット胴１３を脱状態とし、湿し水の供給を停止する。つまり、湿し水の供給量を量Ｖ２から０にする。また、ブランケット胴１３の速度は、ウェブＷよりも低速とする。つまり、ブランケット胴１３の減速側の加速度をウェブＷよりも大きくする。次に、制御装置５１は、時間ｔ２２でブランケット胴１３の減速側の加速度を減少させ、ウェブＷとブランケット胴１３の速度差を小さくする。その後、時間ｔ２４でウェブＷの搬送を停止する。
【００７７】
印刷機は、図９に示すように、ウェブＷの減速時もブランケット胴１３がウェブＷとニップしていない状態で接し、かつ、ウェブＷとブランケット胴１３との速度が異なる速度とすることで、具体的には、図９の時間ｔ２１から時間ｔ２４の間でパイリングを除去することができる。このように、ウェブＷの減速時も製品の印刷が行われずにウェブＷが搬送されるため、損紙となるウェブＷを利用してパイリングの除去を実行することができる。なお、ブランケット胴の離脱処理を行っても、ブランケット胴１３と版胴が着状態である印刷機の場合、パイリング除去処理中（時間ｔ２１から時間ｔ２４）であっても版胴１２からブランケット胴１３へ湿し水を供給してもよい。つまり、ブランケット胴１３の離脱処理を行っても、ブランケット胴１３と版胴１２が着状態である印刷機の場合、パイリング除去処理中の湿し水の供給停止、及び水着ローラ８３の離脱処理は実施せず、パイリング除去処理中（時間ｔ２１から時間ｔ２４）、常に水着ローラ８３を着状態とし、ブランケット胴１３への湿し水の供給を継続してもよい。
【００７８】
また、上記実施形態では、ペースタ信号等を検出して自動でパイリング除去処理を実行したが、作業者が印刷ユニットを通過中のウェブＷを製品として使用しない（使用できない）と判断した場合等は、作業者の操作でパイリング除去処理を実行できるようにしてもよい。この場合、パイリング除去処理を開始する操作を入力し、その後の処理は制御装置５１で実行することが好ましい。これにより、損紙となる部分がブランケット胴を通過しているときにパイリング除去処理を実行することができる。
【００７９】
上記実施形態の印刷機は、ブランケット胴１３ａ，１３ｂ，１３ｃ，１３ｄがニップ状態を解除した状態でもブランケット胴１３ａ，１３ｂ，１３ｃ，１３ｄがウェブＷに接触している配置としたが、これに限定されない。図１０は、他の実施形態の印刷ユニットを表す概略構成図である。図１０に示す印刷ユニットは、ウェブ経路調整ローラ２５を有する。図１０に示す印刷ユニットは、ブランケット胴１３ａ，１３ｂ，１３ｃ，１３ｄを脱状態とした場合、図１０に示すように、ブランケット胴１３ａ，１３ｂ，１３ｃ，１３ｄとウェブＷとが離れた状態となる。ウェブ経路調整ローラ２５は、ブランケット胴１３ａとブランケット胴１３ｂとの間、ブランケット胴１３ｂとブランケット胴１３ｃとの間、ブランケット胴１３ｃとブランケット胴１３ｄとの間に配置され、ウェブＷの搬送方向に対して交差する方向に移動可能な状態で配置されている。ウェブ経路調整ローラ２５は、印刷時は、実線で示す位置に配置され、ウェブＷと非接触の状態となり、パイリング除去処理時は点線の位置に配置され、ウェブＷと接触する。ウェブＷは、ウェブ経路調整ローラ２５により、搬送経路が変化し、ブランケット胴１３ａ，１３ｂ，１３ｃ，１３ｄと接触する位置を通過する。
【００８０】
このように、ブランケット胴１３ａ，１３ｂ，１３ｃ，１３ｄが、ウェブＷをニップしていないがウェブＷと接している状態は、ブランケット胴１３ａ，１３ｂ，１３ｃ，１３ｄの移動に加え、ウェブＷの経路を調整する機構を用いて実現してもよい。
【００８１】
以上、本実施形態及びその変形例について説明したが、前述した内容により本実施形態及びその変形例が限定されるものではない。また、前述した本実施形態及びその変形例の構成要素には、当業者が容易に想定できるもの、実質的に同一のもの、いわゆる均等の範囲のものが含まれる。さらに、前述した構成要素は適宜組み合わせることが可能である。また、本実施形態及びその変形例の要旨を逸脱しない範囲で構成要素の種々の省略、置換及び変更を行うことができる。
【符号の説明】
【００８２】
Ｒ  給紙装置
Ｒ１〜Ｒ８  給紙ユニット
Ｕ  印刷装置
Ｕ１〜Ｕ６，Ｕ１１〜Ｕ６２  印刷ユニット
１２，１２ａ，１２ｂ，１２ｃ，１２ｄ  版胴
１３，１３ａ，１３ｂ，１３ｃ，１３ｄ  ブランケット胴
６１  インキ供給装置
１４，１４ａ，１４ｂ，１４ｃ，１４ｄ  インキ着ローラ
１５，１５ａ，１５ｂ，１５ｃ，１５ｄ  インキ壺
Ｄ  ウェブパス装置
Ｄ１，Ｄ２  ウェブパスユニット
Ｆ  折機
Ｆ１，Ｆ２  折ユニット
Ｗ  ウェブ
２１  幅見当修正装置
２２ａ，２２ｂ，２２ｃ，２２ｄ  ブランケット胴洗浄装置
５１  制御装置
８１  水ライダローラ
８２  水往復ローラ
８３  水着ローラ
８４  スプレーノズル
８５  水着ローラ移動機構
【図１】
2018062098.tif 000003
【図２】
2018062098.tif 000004
【図３】
2018062098.tif 000005
【図４】
2018062098.tif 000006
【図５】
2018062098.tif 000007
【図６】
2018062098.tif 000008
【図７】
2018062098.tif 000009
【図８】
2018062098.tif 000010
【図９】
2018062098.tif 000011
【図１０】
2018062098.tif 000012